(57)【要約】      （修正有）【課題】ＤＶＩを使用したインターフェイスをＨＤＭＩを使用した映像表示装置に接続する場合、ＯＳＤ  ＭＥＮＵ等で選択することなしにアナログ音声信号を選択することを可能とする映像表示装置を提供する。【解決手段】オーディオピンの抜き刺しによって接点が切り替わり、アナログ音声信号用のオーディオピンを差し込むとアナログ音声信号を上記音声信号選択手段に出力し、上記オーディオピンを差し込まないとディジタル音声信号を音声信号選択手段に出力するスイッチ付きジャックを備えることを特徴とする映像音声出力装置で、オーディオピンの抜き差しで外部インターフェイスがアナログ音声出力であるかディジタル音声出力であるかを自動で選択するため、ユーザにＯＳＤ ＭＥＮＵ等で音声信号の切替を選択させる必要がなくなり、ユーザーからの音声が出力されない等のクレームを少なくすることができる。【選択図】図４
0003117073.tif 000002
【実用新案登録請求の範囲】
【請求項１】
チューナーによって受信されたテレビジョン放送信号の中間周派信号を映像信号と音声信号に変換して出力する信号処理回路と、ディジタル音声信号が重畳したディジタル映像信号と映像信号のみからなるディジタル映像信号を入力可能として、上記ディジタル音声信号が重畳されたディジタル映像信号が入力された場合は、ディジタル音声信号を上記ディジタル映像信号から分離しディジタル映像信号とディジタル音声信号を別々に出力するＨＤＭＩレシーバーと、上記信号処理回路から出力された映像信号とＨＤＭＩレシーバーから出力された映像信号のどちらか一方を選択し出力する映像信号選択回路と、ディジタル音声信号とアナログ音声信号の双方を入力可能とし、上記アナログ音声信号が入力されると、オーディオアンプが増幅を含む信号処理を行った後、スピーカが上記音声信号を出力し、上記ディジタル音声信号が入力されると、ディジタル／アナログ変換回路が、上記ディジタル音声信号をアナログ音声信号に変換した後、オーディオアンプが増幅を含む信号処理を行い、スピーカが上記音声信号を出力する音声出力装置と、上記ディジタル映像信号を基に映像を表示するフラットパネルディスプレイと、ディジタル音声信号とアナログ音声信号を入力可能とし、どちらか一方を選択出力する音声信号選択回路と、上記音声出力装置と、上記音声信号選択回路と、上記フラットパネルディスプレイと、上記ＨＤＭＩレシーバーとを制御する制御回路とを備えたフラットパネルディスプレイ型テレビジョン受信機であって、
オーディオピンの抜き刺しによって接点が切り替わり、アナログ音声信号用のオーディオピン差し込むとアナログ音声信号を上記音声信号選択回路に出力し、上記オーディオピンを差し込まないとディジタル音声信号を上記音声信号選択回路に出力するスイッチ付きジャックを備え、
上記スイッチ付きジャックは光音声信号を入力可能とする第二のジャックを備え、
上記第二のジャックに光音声信号が入力されると、上記制御装置は、上記光音声信号を上記音声出力装置に出力するよう音声信号選択手段を制御し、
上記制御回路は、アナログ音声信号が無音の場合、上記音声信号選択回路に上記ＨＤＭＩレシーバーからのディジタル音声信号を出力するよう制御することを特徴とするフラットパネル型テレビジョン受信機。
【請求項２】
ディジタル音声信号とアナログ音声信号の双方を入力可能とし、上記アナログ音声信号が入力されると、オーディオアンプが増幅を含む信号処理を行った後、スピーカユニットが上記増幅された音声信号を出力し、上記ディジタル音声信号が入力されると、ディジタル／アナログ変換ユニットが上記ディジタル音声信号をアナログ音声信号に変換した後、オーディオアンプが増幅を含む信号処理を行い、スピーカユニットが上記音声信号を出力する音声出力装置と、ディジタル音声信号が重畳したディジタル映像信号と映像信号のみからなるディジタル映像信号を入力可能として、上記ディジタル音声信号が重畳されたディジタル映像信号が入力された場合は、ディジタル音声信号を上記ディジタル映像信号から分離しディジタル映像信号とディジタル音声信号を別々に出力するＨＤＭＩレシーバーと、ディジタル映像信号を基に映像を表示するディスプレイユニットと、ディジタル音声信号とアナログ音声信号を入力可能とし、どちらか一方を選択出力する音声信号選択手段と、上記音声出力装置と、上記音声信号選択手段と、上記ディスプレイユニットと、上記ＨＤＭＩレシーバーとを制御する制御装置とを備えた映像音声出力装置であって、
オーディオピンの抜き刺しによって接点が切り替わり、アナログ音声信号用のオーディオピンを差し込むとアナログ音声信号を上記音声信号選択手段音声に出力し、上記オーディオピンを差し込まないとディジタル音声信号を音声信号選択手段に出力するスイッチ付きジャックを備えることを特徴とする映像音声出力装置。
【請求項３】
上記スイッチ付きジャックは光音声信号を入力可能とする第二のジャックを備え、
上記第二のジャックに光音声信号が入力されると、上記制御装置は、上記光音声信号を音声出力装置に出力するよう音声信号選択手段を制御する請求項２に記載の映像音声出力装置。
【請求項４】
上記制御装置は、アナログ音声信号が無音の場合、上記音声信号選択手段に上記ＨＤＭＩレシーバーからのディジタル音声信号を出力するよう制御する請求項２〜３のいずれかに記載の映像音声出力装置。
【請求項５】
上記ディスプレイユニットはフラットパネルディスプレイであることを特徴とする請求項２〜４のいずれかに記載の映像音声出力装置。
【考案の詳細な説明】
【技術分野】
【０００１】
本考案は、映像、音声などの情報が入力されて、映像表示と音声再生するフラットパネルディスプレイ型テレビジョン受信機や映像表示装置に関する。
【背景技術】
【０００２】
従来、液晶ディスプレイなどのディジタル駆動のディスプレイに、ＣＰＵを内蔵したインターフェースを接続する規格として、ＤＶＩ（Ｄｉｇｉｔaｌ Ｖｉｓｕａｌ Ｉｎｔｅｒｆａｃｅ）規格が知られている。従来はコンピュータ側にデジタルデータとして蓄えられた画面情報を、アナログ信号に変換してディスプレイに送出していたが、ＴＭＤＳ(Ｔｒａｎｓｉｔｉｏｎ Ｍｉｎｉｍｉｚｅｄ Ｄｉｆｆｅｒｅｎｔｉａｌ Ｓｉｇｎａｌｉｎｇ）というシリアル転送方式を採用することで、ディジタル信号を直接ディスプレイに送出できるため、変換による信号の劣化がなくなり画質が向上する。しかしながら、ＤＶＩはディジタル音声信号を使用することができないため、音声の入力はアナログ音声信号を用いて入力されていた。
【０００３】
ＭＤＭＩ(Ｈｉｇｈ−Ｄｅｆｉｎｉｔｉｏｎ Ｍｕｌｔｉｍｅｄｉａ Ｉｎｔｅｒｆａｃｅ)は上記した、ＤＶＩをさらに改良した規格であり、 1本のケーブルで映像・音声・制御信号を合わせて送受信するので、ＤＶＩよりもコネクタやケーブルが簡素であり、製造コストが低く、取り回しが容易になっている。上記利便性からＤＶＩに代わり広く利用され始めている。
【０００４】
また、アナログ音声入力とディジタル音声入力の双方を入力し、いずれか適した方を自動的に判断し、切替えて出力する映像表示装置が知られている。（例えば、特許文献１参照。）
【特許文献１】特開２００５−１８４８５８号
【考案の開示】
【考案が解決しようとする課題】
【０００５】
ＤＶＩを使用したインターフェースをＨＤＭＩを使用した映像表示装置に接続する場合、ＤＶＩはディジタルの映像信号しか出力しないため、アナログ音声の処理に関しては、ＯＳＤ ＭＥＮＵ等にて、ユーザーに選択させるのが一般的である。但し一般のユーザーは、ＭＥＮＵを使用しない人も多数いる為、音声が出力されない等のクレームが頻繁に発せられるという課題があった。
【０００６】
本考案は、上記課題にかんがみてなされたもので、ＤＶＩを使用したインターフェースをＨＤＭＩを使用した映像表示装置に接続する場合、ＯＳＤ ＭＥＮＵ等で選択することなしにアナログ音声信号を選択することを可能とする映像表示装置を提供することを目的とする。
【課題を解決するための手段】
【０００７】
上記目的を達成するために、請求項２にかかる考案は、ディジタル音声信号とアナログ音声信号の双方を入力可能とし、上記アナログ音声信号が入力されると、オーディオアンプが増幅を含む信号処理を行った後、スピーカユニットが音声信号を振動に変換することで音声を出力し、上記ディジタル音声信号が入力されると、ディジタル／アナログ変換ユニットが上記ディジタル音声信号をアナログ音声信号に変換した後、オーディオアンプが増幅を含む信号処理を行った後、スピーカユニットが音声信号を振動に変換することで音声を出力する音声出力ユニットと、ディジタル音声信号が重畳したディジタル映像信号と映像信号のみからなるディジタル映像信号を入力可能として、上記ディジタル音声信号が重畳されたディジタル映像信号が入力された場合は、ディジタル音声信号を上記ディジタル映像信号から分離しディジタル映像信号とディジタル音声信号を別々に出力するＨＤＭＩレシーバーと、ディジタル映像信号を基に映像を表示するディスプレイユニットと、ディジタル音声信号とアナログ音声信号を入力可能とし、どちらか一方を選択出力する音声信号選択手段と、上記音声出力ユニットと、上記音声信号選択手段と、上記表示ユニットと、上記ＨＤＭＩレシーバーとを制御する制御装置とを備えた映像表示装置であって、
上記映像表示装置は、オーディオピンの抜き刺しによって接点が切り替わり、アナログ音声信号用のオーディオピン差し込むとアナログ音声信号を上記音声信号選択手段に出力し、上記オーディオピンを差し込まないとディジタル音声信号を上記音声信号選択手段に出力するスイッチ付きジャックを備える構成となっている。
【０００８】
上記のように構成した請求項２にかかる考案においては、上記ＨＤＭＩレシーバーにＤＶＩを使用するインターフェースを接続すると、映像信号は上記表示ユニットに出力され映像を表示する。またアナログの音声信号は、上記スイッチ付きジャックにオーディオピンを差し込むことで、接点が切り替わりアナログ音声を音声信号選択手段に出力する。上記音声出力ユニットでは、ディジタル音声信号とアナログ音声信号の双方を入力可能とし、上記アナログ音声信号が入力されると、オーディオアンプが増幅を含む信号処理を行った後、スピーカが音声信号を振動に変換することで音声を出力し、上記ディジタル音声信号が入力されると、ディジタル／アナログ変換ユニットが上記ディジタル音声信号をアナログ音声信号に変換した後、同様の処理を行い音声を出力する。
【考案の効果】
【０００９】
以上説明したように本考案によれば、ユーザーが、ＯＳＤ ＭＥＮＵ等の手動切替なしにアナログ音声信号とディジタル音声信号の切替を自動で行うことができる。
【考案を実施するための最良の形態】
【００１０】
ここでは、下記の順序に従って本考案の実施形態について説明する。
（１）フラットパネルディスプレイ型テレビジョン受信機の構成
（２）スイッチ付きジャックを使用しての音声切替内容
（３）光音声信号を使用した場合の音声切替内容
（４）アナログ無音時の音声切替内容
（５）まとめ
【００１１】
（１）フラットパネルディスプレイ型テレビジョン受信機の構成
図１は、本考案の一実施形態にかかるフラットパネルディスプレイ型テレビジョン受信機１０の概略構成のブロック構成図である。図１において、フラットパネルディスプレイ型テレビジョン受信機１０は、アンテナ１１と、チューナー１２と、信号処理回路１３と、映像信号選択回路１４と、ＨＤＭＩレシーバー１５と、スイッチ付きジャック１８とフラットパネルディスプレイ１９と、音声信号選択回路３５と、音声出力装置２４と、制御装置２８から構成されている。上記構成において制御装置２８はフラットパネルディスプレイ型テレビジョン受信機１０を構成する各部とＩＩＣバス３４を介して接続しており、マイコン２９が、ＲＯＭ３０に予め書き込まれたプログラムを基に、ＲＡＭ３１をワークテーブルとしてフラットパネルディスプレイ型テレビジョン受信機１０を構成する全体を制御する。
【００１２】
チューナー１２はテレビ放送帯域に対応して所望周波数の放送信号を受信するとともに、受信した所要の信号だけを選択して高周波増幅し、中間周波信号に変換して信号処理回路に出力する。信号処理回路１３は、チューナー１２から出力された中間周波数信号を中間周派増幅し、映像信号と音声信号を取り出す。信号処理回路１３は、上記映像信号を映像信号選択回路１４に出力し、上記音声信号を音声信号選択回路３５に出力する。
【００１３】
映像信号選択回路１４は、信号処理回路１３から出力された上記映像信号と後述するＨＤＭＩレシーバー１５から出力された映像信号を選択し、フラットパネルディスプレイ１９に出力する。上記映像信号を選択する方法として、ユーザーはリモコンＩ／Ｆ３２を介してリモコンのメニュー等を操作する場合と、操作パネル３３を操作する場合がある。
【００１４】
フラットディスプレイパネル１９は、画像データ生成回路２０と、画素数変換回路２１と駆動信号生成回路２２と、表示パネル２３から構成されている。映像データ生成回路２０は、上記映像信号から輝度信号と色差信号とに基づいてマトリクス変換処理を行い、映像データとしてのＲＧＢ信号を生成する。画素数変換回路２１は、上記ＲＧＢ信号に対して表示パネル２３の画素数（縦横比、ｍ：ｎ）に合わせたスケーリング処理を行い、表示パネル２３に表示する１画面分の画像データを生成する。駆動信号生成回路２２は、上記スケーリング処理がほどこされた一画面分の画像データに対して画質調整を行った後、上記画像データから表示パネル２３に備えられたアドレス信号を駆動するためのアドレス駆動信号と、サスティン電極を駆動するためのサスティン駆動信号とを生成し、各電極に印加することで表示パネル２３に映像を表示する。
【００１５】
ＨＤＭＩレシーバー１５はＨＤＭＩ規格のディジタル音声信号が重畳されたディジタル映像信号を入力する入力端子１６と上記ディジタル映像信号からディジタル音声信号を分離する分離回路１７から構成されている。入力端子１６から入力されたディジタル音声信号を重畳したディジタル映像信号は、分離回路１７によってディジタル音声信号とディジタル映像信号に分離される。上記分離されたディジタル映像信号は映像信号選択回路１４に出力され、上記分離されたディジタル音声信号は音声信号選択回路３５に出力される。
【００１６】
音声信号選択回路３５は、信号処理回路１３とＨＤＭＩレシーバー１５とのどちらか一方から出力された音声信号を、音声出力装置２４に出力する。
音声出力装置２４は、ディジタル／アナログ変換回路２５とオーディオアンプ２６とスピーカから構成され、入力された音声信号を音声として出力する。ディジタル／アナログ変換回路２５は入力されたディジタル音声信号をアナログ音声信号に変換する。オーディオアンプ２６は上記変換されたアナログ音声信号をユーザーによって指示されたレンジまで増幅し、スピーカ２７に出力する。スピーカ２７は、上記増幅されたアナログ音声信号を振動に変換し、コーン紙を振動させることにより音声を出力する。
【００１７】
上記のようにしてフラットパネルディスプレイ型テレビジョン受信機１０は、テレビジョン放送信号とＨＤＭＩ規格の外部インターフェースから入力された映像信号と音声信号を出力するが、ＤＶＩ規格の外部インターフェースを接続して映像と音声を出力することも可能である。フラットパネルディスプレイ型テレビジョン受信機１０にＤＶＩ方式の外部インターフェースを接続した場合、ＤＶＩ方式では映像信号と音声信号は重畳されておらず、音声信号はアナログケーブルを利用してスイッチ付きジャック１８から入力することとなる。図２、図３はスイッチ付きジャックの概略図を示す。スイッチ付きジャック１８は図２に示すように、コネクターピンが挿されてない状態では、金具ａの先端が金具bと接点を有し、ＨＤＭＩレシーバー１５と音声信号選択回路３５を繋いでいる。スイッチ付きジャック１８にコネクターピンが挿し込まれると、図３に示すように、金具ａが押し上げられることで、接点が切り替わり上記アナログケーブルと音声信号選択回路３５とを接続する。これによりアナログ音声信号は音声信号選択回路３５に出力される。
【００１８】
（２）スイッチ付きジャックを使用しての音声切替内容
音声信号選択回路３５は、検知回路３６とスイッチ回路３７から構成されている。上記アナログ音声信号が、スイッチ付きジャック１８から入力されると、検知回路３６は上記アナログ音声信号の入力の有無を検知し、入力信号をマイコン２９に出力する。図４はマイコン２９が実行する一連のフロー図である。検知回路３６が入力信号をマイコン２９に出力すると、マイコン２９はステップＳ２００で信号を検知してステップＳ２１０に進む。ステップＳ２１０ではマイコン２９は、音声信号選択回路３５を上記アナログ音声信号が音声出力装置２４に出力されるようにスイッチ回路３７を切り替える。
【００１９】
具体的には、ＤＩＶ規格の外部インターフェースをフラットパネルディスプレイ型テレビジョン受信機１０に接続した場合、上述したように音声信号はアナログケーブルを用いてスイッチ付きジャック１８に接続する。上記アナログ音声信号が音声信号選択回路３５に入力されると、検知回路３６は、入力信号をマイコン２９に出力する。入力信号を受けたマイコン２９は、スイッチ回路３７に上記アナログ音声信号を音声出力装置２４に出力するよう指示を出す。音声信号選択回路３５は、マイコン２９からの指示を受け取ると、音声信号選択回路３５はスイッチ回路３７を切替え、上記アナログ音声信号を音声出力装置２４に出力する。音声出力装置２４に上記アナログ音声信号が入力されると、オーディオアンプ２５は、上記アナログ音声信号を増幅させる信号処理を行い、スピーカ２７に出力する。スピーカ２７は上記アナログ音声信号を振動に変換しコーン紙を振動させることにより音声を発生させる。
【００２０】
（３）光音声信号を使用した場合の音声切替内容
また、考案の一実施例として、スイッチ付きジャック１８が光音声信号を入力可能とする第二のジャック３８を備え、第二のジャック３８に光音声信号が入力されると、制御装置２８が、上記光音声信号を音声出力装置２４に出力するよう信号選択回路２４に指示を出すフラットパネルディスプレイ型テレビジョン受信機がある。
【００２１】
図５は第二のジャック３８に光信号が入力されたときのマイコン２９のフロー図である。
検知回路３６が第二のジャック37に光音声信号の信号が入力されたことを検知すると、検知回路３６は検知信号をマイコン２９に出力する。ステップＳ３００でマイコン２９は検知回路３６から検知信号を受け取ると、ステップＳ３１０に進む。ステップＳ３１０でマイコン２９は、音声信号選択回路３５に上記光音声信号を音声出力装置２４に出力するよう指示を出す。
【００２２】
具体的には、第二のジャック３８に光音声信号のオーディオピンを差し込むと、検知回路３６は上記光音声信号が出力されたことを検知し、マイコン２９に検知信号を出力する。上記信号を受けたマイコン２９は、音声信号選択回路３５に上記光音声信号を音声出力装置２４に出力するよう指示を出す。上記指示を受けた音声信号選択回路３５は、スイッチ回路３７を切り替えて、上記光音声信号を音声出力装置２４に出力する。音声出力装置２４に上記光音声信号が入力されると、ディジタル／アナログ変換回路２５は上記光音声信号をアナログ音声信号に変換し、オーディオアンプ２６出力する。オーディオアンプ２６は、上記アナログ音声信号を増幅させる信号処理を行い、スピーカ２７に出力する。スピーカ２７は上記アナログ音声信号を振動に変換し、コーン紙を振動させることにより音声を発生させる。
【００２３】
（４）アナログ無音時の音声切替内容
また、本考案の一実施例として、音声信号を重畳したディジタル映像信号をＨＤＭＩレシーバー１５に入力するとともに、アナログ音声信号をスイッチ付きジャック１８に入力し、アナログ音声信号が無音であった場合に、ディジタル音声信号を入力させるフラットパネルディスプレイ型テレビジョン受信機がある。
【００２４】
図６は上記一実施例でのマイコン２９のフロー図である。スイッチ付きジャック１８にアナログ音声信号が入力されると、検知回路３６は上記アナログ音声信号を検出し、検知信号をマイコン２９に出力する。ステップＳ５００でマイコン２９は、上記検知信号を検出すると、ステップＳ５１０に進む。ステップＳ５１０で音声信号選択回路３５に上記アナログ音声信号を音声出力装置２４に出力するよう指示を出しステップＳ５２０に進む。検知回路３６が上記アナログ信号の無音の有無を検知し、それに応じて無音検知信号をマイコン２９に出力すると、マイコン２９はアナログ信号の無音の有無に応じてステップＳ５３０とステップＳ５４０のどちらかに進む。上記アナログ音声信号が無音であった場合はステップＳ５３０に進み、音声信号選択回路３５にＨＤＭＩレシーバー１５から出力されたディジタル音声信号を音声出力装置２４に出力するよう指示を出す。上記アナログ音声信号が無音でない場合はステップＳ５４０に進み、音声信号選択回路３５に上記アナログ音声信号を音声出力装置２４に出力するよう指示を出す。
【００２５】
具体的には、ユーザーが、規格が解らない外部インターフェースをフラットパネルディスプレイ型テレビジョン受信機１０に接続し、さらにアナログ音声用ケーブルがフラットパネルディスプレイ型テレビジョン受信機１０に接続されている場合を想定するアナログ音声信号用オーディオピンをスイッチ付きジャック１８に差し込むと、上記した金具の接点の切替により上記アナログ音声信号は音声信号選択回路３５に出力する。上記アナログ音声信号が音声信号選択回路３５に入力されると、検知回路３６は上記アナログ音声信号の無音の有無を検知する。上記アナログ音声信号が無音でなければ、無音検知信号をマイコン２９に出力し、マイコン２９は上記無音検知信号を受けて、音声信号選択回路３５に上記アナログ音声信号を音声出力装置２４に出力するよう指示を出す。マイコン２９からの指示を受けて、音声信号選択回路３５はスイッチ回路３７を切り替えることで、上記アナログ音声信号を音声出力装置２４に出力する。音声出力装置２４に上記アナログ音声信号が入力されると、オーディオアンプ２６は、上記アナログ音声信号を増幅させる信号処理を行い、スピーカ２７に出力する。スピーカ２７は上記アナログ音声信号を振動に変換し、コーン紙を振動させることにより音声を発生させる。上記アナログ音声信号が無音の場合、検知回路３６は、第二の無音検知信号をマイコン２９に出力する。第二の無音検知信号を受けてマイコン２９は、音声信号選択回路３５にＨＤＭＩレシーバー１５から出力されたディジタル音声信号が、音声出力装置２４に出力するよう指示を出す。上記ディジタル音声信号が音声出力装置２４に入力されると、ディジタルアナログ変換回路２５は上記ディジタル音声信号をアナログ音声信号に変換し、オーディオアンプ２５に出力する。オーディオアンプ２５は上記アナログ音声信号に増幅を含む信号処理を行い、スピーカ２７に出力する。スピーカ２７は上記アナログ音声信号を振動に変換し、コーン紙を振動させることにより音声を発生させる。
【００２６】
このように、本考案によれば、ＨＤＭＩ規格のパネルディスプレイ型テレビジョン受信機にＤＶＩ規格の外部インターフェースを接続する場合、アナログ音声信号をスイッチ付きジャック７０に差し込むだけでよい。
これは、音声信号の入力経路の切替を、スイッチ付きジャック７０の機構を利用して行われるためである。また上記アナログ音声信号が無音の場合は音声信号選択手段４０を用いてＨＤＭＩレシーバー３０から入力されたディジタル音声信号に自動的に切り替える。
【００２７】
（５）まとめ
本考案では、オーディオピンの抜き刺しによって接点が切り替わり、アナログ音声信号用のオーディオピンを差し込むとアナログ音声信号を上記音声信号選択手段に出力し、上記オーディオピンを差し込まないとディジタル音声信号を音声信号選択手段に出力するスイッチ付きジャックを備えることを特徴とする映像音声出力装置で、オーディオピンの抜き差しで外部インターフェイスがアナログ音声出力であるかディジタル音声出力であるかを自動で選択するため、ユーザにＯＳＤ ＭＥＮＵ等で音声信号の切替を選択させる必要がなくなり、ユーザーからの音声が出力されない等のクレームを少なくすることができる。
【００２８】
本考案の一実施例によれば、上記スイッチ付きジャックは光音声信号を入力可能とする第二のジャックを備え、上記第二のジャックに光音声信号が入力されると、上記制御装置は、上記光音声信号を音声出力装置に出力するよう音声信号選択手段を制御することを特徴とする。
【００２９】
上記第二のジャックに光音声信号が入力されると、検知手段は制御装置に検知信号を入力する。上記制御装置が上記検知信号を検知すると、上記光音声信号を音声出力装置に出力するよう音声信号選択手段を制御することを特徴とする。
【００３０】
本考案の一実施例によれば、制御ユニットは、アナログ音声信号が無音の場合、音声信号選択手段にＨＤＭＩレシーバーからのディジタル音声信号を出力するよう制御することを特徴とする。
【００３１】
アナログ音声信号が無音の場合、検知手段は無音検知信号を制御装置に出力し、上記無音検知信号を受け取った制御装置は音声信号選択手段にＨＤＭＩレシーバーからのディジタル音声信号を出力するよう制御する。
【図面の簡単な説明】
【００３２】
【図１】本考案の実施形態に係るフラットパネルディスプレイ型テレビジョン受信機のブロック図である。
【図２】スイッチ付きジャックの接点の切り替わりを示した図である。
【図３】スイッチ付きジャックの接点の切り替わりを示した図である。
【図４】マイコンの処理内容を示したフロー図である。
【図５】マイコンの光音声信号入力の処理内容を示したフロー図である。
【図６】マイコンの無音検知処理の内容を示したフロー図である。
【符号の説明】
【００３３】
１０…フラットパネルディスプレイ型テレビジョン受信機
１１…アンテナ
１２…チューナー
１３…信号処理回路
１４…映像信号選択回路
１５…ＨＤＭＩレシーバー
１６…入力端子
１７…分離回路
１８…スイッチ付きジャック
１９…フラットパネルディスプレイ
２０…画像データ生成回路
２１…画素数変換回路
２２…駆動信号生成回路
２３…表示パネル
２４…音声出力装置
２５…ディジタル／アナログ変換回路
２６…オーディオアンプ
２７…スピーカ
２８…制御装置
２９…マイコン
３０…ＲＯＭ
３１…ＲＡＭ
３２…リモコンＩ／Ｆ
３３…操作パネル
３４…ＩＩＣバス
３５…音声信号選択回路
３６…検知回路
３７…スイッチ回路
３８…第二のジャック
【図１】
0003117073.tif 000003
【図２】
0003117073.tif 000004
【図３】
0003117073.tif 000005
【図４】
0003117073.tif 000006
【図５】
0003117073.tif 000007
【図６】
0003117073.tif 000008